(57)【要約】【課題】  新規に空間多重する端末の組合せ及び時分割スロットを空間多重の多重化確率を用いて選択する際の精度向上を図る。【解決手段】  空間多重の多重化確率の過去の平均値及び変動特性を求め（ステップＳ１０６、Ｓ１０７）、新規に空間多重する場合に、前記平均値及び前記変動特性に基づいて、当該端末の組合せ及び当該時分割スロットによる将来の空間多重の安定性を評価し（ステップＳ１０８）、この評価結果に基づいて新規に空間多重する端末の組合せ及び時分割スロットを選択する（ステップＳ１０９）。【選択図】    図５
2005123871.tif 000002
【特許請求の範囲】
【請求項１】
時分割多重及び空間多重により複数の端末と無線通信を行う無線装置において、
異なる時分割スロットで通信中の特定の複数の端末を当該使用中のいずれか特定の時分割スロットで空間多重するときの多重化確率を算出する多重化確率算出手段と、
前記多重化確率の履歴を記憶する記憶手段と、
前記多重化確率の平均値を求める平均値算出手段と、
前記多重化確率の変動特性を求める変動特性算出手段と、
新規に空間多重する場合に、前記平均値及び前記変動特性に基づいて、当該端末の組合せ及び当該時分割スロットによる空間多重の安定性を評価する評価手段と、
前記評価結果に基づいて新規に空間多重する端末の組合せ及び時分割スロットを選択する空間多重化対象選択手段と、
を備えたことを特徴とする無線装置。
【請求項２】
前記変動特性は、所定期間内において、過去の前記多重化確率が所定の変動幅を超えて変動した回数であることを特徴とする請求項１に記載の無線装置。
【請求項３】
前記変動特性算出手段は、過去の前記多重化確率の変動データのうち、時系列的に新しい変動データをより高い評価とする重み付けを行うことを特徴とする請求項１または請求項２に記載の無線装置。
【請求項４】
時分割多重及び空間多重により複数の端末と無線通信を行う無線装置における通信制御方法であって、
異なる時分割スロットで通信中の特定の複数の端末を当該使用中のいずれか特定の時分割スロットで空間多重するときの多重化確率を算出する過程と、
前記算出された多重化確率の履歴を記憶手段に記憶する過程と、
前記多重化確率の平均値を求める過程と、
前記多重化確率の変動特性を求める過程と、
新規に空間多重する場合に、前記平均値及び前記変動特性に基づいて、当該端末の組合せ及び当該時分割スロットによる空間多重の安定性を評価する過程と、
前記評価結果に基づいて新規に空間多重する端末の組合せ及び時分割スロットを選択する過程と、
を含むことを特徴とする通信制御方法。
【発明の詳細な説明】
【技術分野】
【０００１】
本発明は、空間多重（ＳＤＭＡ；Spatial Division Multiple Access）方式の無線通信システムに用いて好適な無線装置および通信制御方法に関する。
【背景技術】
【０００２】
従来、ＳＤＭＡ無線通信システムにおいては、無線基地局にアダプティブアレーアンテナ（Adaptive Array Antenna）を備えて、ユーザ端末（以下、端末という）毎に指向性の異なる放射パターンの送信ビームを形成して同じ時間に複数の端末向けの電波を送信している。その際、無線基地局は、ある端末の放射パターンを形成するときに、アダプティブビームフォーミング（AdaptiveBeam Forming）により送信相手の端末の方向に指向性を持たせ、かつ、アダプティブヌルスティアリング（Adaptive Null Steering）によりそれ以外の端末の方向にヌルを形成する。これにより、同時に複数の端末に向けて電波を送信しても、各端末のＣＩＲ（Carrier to Interference Ratio）を確保でき、空間多重時の通信品質を良好に保つことができる。そして、ＳＤＭＡ無線通信システムでは、その空間多重により、複数の端末に対して同じ時間に同じ周波数チャネルを割当てて、チャネルの利用効率を上げている。
【０００３】
上記したＳＤＭＡ無線通信システムとしては、例えばＰＨＳ（Personal Handyphone System）と呼ばれるものが知られている。このシステムにおいて無線基地局は、ＰＨＳ規格で定められた時分割多重方式（ＴＤＭＡ／ＴＤＤ；Time Division Multiple Access/Time Division Duplex）により複数の端末と多重接続して無線通信を行うことができる。そして、さらに時分割スロット単位で空間多重を行うことにより、一つの時分割スロットで複数の端末と多重接続して無線通信を行うことができる。
【０００４】
例えば、端末からの新規の呼接続要求を制御チャネルを介して受信した場合において、通話チャネル用の時分割スロットが全て使用中であるときは、無線基地局は、既存呼を空間多重して通話チャネル用の時分割スロットの空きを準備する。そして、その空きスロットを新規呼に割当てる（例えば、特許文献１参照）。
【特許文献１】特開２００２−５８０６１号公報
【０００５】
その際の空間多重する既存呼の組合せ及び時分割スロットには、空間多重するのに最も適当と予想されるものが選択されるが、この従来の選択方法としては、空間多重の多重化確率を使用するものが知られている。この空間多重の多重化確率は、特定の複数の端末が特定の時分割スロットで空間多重する場合に、空間多重している状態をどの程度維持できるかを表す。無線基地局は、定期的に空間多重の多重化確率を計算しており、新規に空間多重する場合には、過去の多重化確率の平均値が最高である既存呼（端末）の組合せ及び時分割スロットを、新規に空間多重する対象として選択する。
【発明の開示】
【発明が解決しようとする課題】
【０００６】
しかし、上述した多重化確率の平均値を用いる従来の空間多重化対象選択方法では、必ずしも最適な選択が行われないという問題がある。例えば、多重化確率が２００ミリ秒毎に算出され、その多重化確率を示す値の範囲が１〜２５４であり、値が大きい程に多重化確率が良いとする。そして、過去の５秒分（２５個の多重化確率データ）の平均値を選択に用いる。ここで、極端な例ではあるが、多重化確率データ列＿例１のように多重化確率が上限値「２５４」と下限値「１」とを交互に繰り返すと、その平均値は１３２．５６となる。
多重化確率データ＿例１；［２５４，１，２５４，１，・・・，２５４，１，２５４］
また、多重化確率データ列＿例２のように多重化確率が一定の値「１３１」であると、その平均値は１３１．００となる。
多重化確率データ列＿例２；［１３１，１３１，１３１，・・・，１３１］
【０００７】
この例の場合、従来の選択方法によれば、平均値が良い方の多重化確率データ列＿例１の端末の組合せ及び時分割スロットが空間多重化対象に選択される。しかしながら、多重化確率データ列＿例１は平均値では良いが、多重化確率が安定しておらず、当該の端末の組合せ及び時分割スロットは空間多重する上で安定性に難があり不適当である。一方、多重化確率データ列＿例２は平均値こそ若干悪いが、多重化確率が安定しており、当該の端末の組合せ及び時分割スロットの方が安定して空間多重でき、適している。
【０００８】
本発明は、このような事情を考慮してなされたもので、その目的は、新規に空間多重する端末の組合せ及び時分割スロットを空間多重の多重化確率を用いて選択する際の精度向上を図ることができる無線装置および通信制御方法を提供することにある。
【課題を解決するための手段】
【０００９】
上記の課題を解決するために、本発明の無線装置は、時分割多重及び空間多重により複数の端末と無線通信を行う無線装置において、異なる時分割スロットで通信中の特定の複数の端末を当該使用中のいずれか特定の時分割スロットで空間多重するときの多重化確率を算出する多重化確率算出手段と、前記多重化確率の履歴を記憶する記憶手段と、前記多重化確率の平均値を求める平均値算出手段と、前記多重化確率の変動特性を求める変動特性算出手段と、新規に空間多重する場合に、前記平均値及び前記変動特性に基づいて、当該端末の組合せ及び当該時分割スロットによる空間多重の安定性を評価する評価手段と、前記評価結果に基づいて新規に空間多重する端末の組合せ及び時分割スロットを選択する空間多重化対象選択手段とを備えたことを特徴としている。
【００１０】
また、本発明の無線装置においては、前記変動特性は、所定期間内において、過去の前記多重化確率が所定の変動幅を超えて変動した回数であることを特徴とする。
【００１１】
また、本発明の無線装置においては、前記変動特性算出手段は、過去の前記多重化確率の変動データのうち、時系列的に新しい変動データをより高い評価とする重み付けを行うことを特徴とする。
【００１２】
本発明の通信制御方法は、時分割多重及び空間多重により複数の端末と無線通信を行う無線装置における通信制御方法であって、異なる時分割スロットで通信中の特定の複数の端末を当該使用中のいずれか特定の時分割スロットで空間多重するときの多重化確率を算出する過程と、前記算出された多重化確率の履歴を記憶手段に記憶する過程と、前記多重化確率の平均値を求める過程と、前記多重化確率の変動特性を求める過程と、新規に空間多重する場合に、前記平均値及び前記変動特性に基づいて、当該端末の組合せ及び当該時分割スロットによる空間多重の安定性を評価する過程と、前記評価結果に基づいて新規に空間多重する端末の組合せ及び時分割スロットを選択する過程とを含むことを特徴としている。
【発明の効果】
【００１３】
本発明によれば、多重化確率の平均値に加えて変動特性も評価して空間多重化対象を選択するので、新規に空間多重する端末の組合せ及び時分割スロットを選択する際の精度が向上する。これにより、空間多重化動作をより確実に成功させることができるので、より多くの呼をカバーすることができ、無線基地局当たりの呼量を増やすことが可能となる。この結果として無線通信システムの効率向上に寄与するという優れた効果が得られる。
【発明を実施するための最良の形態】
【００１４】
以下、図面を参照し、本発明の一実施形態を説明する。
図１は、本発明の一実施形態による無線基地局（無線装置）と移動局（携帯端末）を有する無線通信システムの構成例を示すブロック図である。本実施形態では、時分割多重方式及び空間多重方式を採用している無線通信システムの一例として、ＰＨＳ（Personal Handyphone System）と呼ばれるシステムを挙げて説明する。
【００１５】
図１において、無線基地局１は、ＰＨＳ規格で定められた時分割多重（ＴＤＭＡ／ＴＤＤ）方式に加え、更に空間多重方式を用いて、同一周波数で複数の信号を空間多重して、複数の端末との間でデジタル無線通信を行う。
無線基地局１は、ＰＨＳ規格に従って１つのＴＤＭＡフレーム内に４つの時分割スロット（制御チャネル（ＣＣＨ）用に１つと、通話チャネル（ＴＣＨ）用に３つ）を時分割多重し、１つの時分割スロットにつき空間多重が可能な最大ｍ本（ｍは２以上の整数）の通信回線の信号を並列に処理することができる。１つのＴＤＭＡフレームは、５ミリ秒の周期を有し、各周期を８等分して得られる４つの送信タイムスロットと４つの受信タイムスロットとから構成される。１つの送信タイムスロットと１つの受信タイムスロットの組により時分割による双方向通信が実現される。
【００１６】
端末２−１〜４は、ユーザＡ〜ＤのＰＨＳ端末である。この実施例では、端末２−１〜３は、無線基地局１との間で、時分割多重により、それぞれの通信チャネル（ＴＣＨ）を用いて通信中である。例えば、ＴＣＨを介して音声通話やデータ通信が行われている。図２は、時分割スロットの割当て例を示す図である。図２の例では、４つの時分割スロット「Ｓｌｏｔ１〜４」のうち、Ｓｌｏｔ１がＣＣＨ用であり、残り３つのＳｌｏｔ２〜４がＴＣＨ用である。そして、Ｓｌｏｔ２，３，４がそれぞれユーザＡ，Ｂ，Ｃに割当てられている。
また、ユーザＤの端末２−４は、ＣＣＨを介して、無線基地局１に対して新規に呼接続を要求している。
【００１７】
図３は、上記図１に示す無線基地局１の構成を示すブロック図である。無線基地局１は、アダプティブアレーアンテナ１１と無線部１２と信号処理部１３と回線インタフェース部１４と制御部１５と記憶部１６とを有する。
【００１８】
図３において、アダプティブアレーアンテナ１１は、無線部１２に接続されている。無線部１２は、送信部と受信部を備え、アダプティブアレーアンテナ１１を時分割で制御して送信と受信との切り替えを行っている。無線部１２の送信部は、アッパコンバータ、電力増幅器等を備え、信号処理部１３から入力された信号を低周波から高周波に変換し、送信出力レベルにまで増幅してアダプティブアレーアンテナ１１に出力する。無線部１２の受信部は、ローノイズ増幅器、ダウンコンバータ等を備え、アダプティブアレーアンテナ１１で受信された信号を高周波から低周波に変換し、増幅して信号処理部１３に出力する。
【００１９】
信号処理部１３は、アンテナ指向性パターンの形成に関する処理を行う。具体的には、受信処理として、無線部１２から入力される空間多重された各端末からの受信信号を分離抽出して回線インタフェース１４に出力する。また、送信処理として、回線インタフェース１４から入力された送信信号を所望の端末へ送信できるように空間多重用に重み付けした信号を生成して無線部１２に出力する。信号処理部１３は、１つの時分割スロットにおいて空間多重される最大ｍ個（ｍは２以上の整数）の信号を並列処理することが可能である。
【００２０】
また、信号処理部１３は、空間多重の多重化確率を算出する。この空間多重の多重化確率は、空間多重しているときの品質情報の一種であり、特定の複数の端末が特定の時分割スロットで空間多重する場合に、空間多重している状態をどの程度維持できるかを表す。空間多重の多重化確率は、受信電力レベル（ＲＳＳＩ）等の無線状態を表すデータに基づいて算出されるものである。信号処理部１３は、少なくとも、異なる時分割スロットで通信中の特定の複数の端末を当該使用中のいずれか特定の時分割スロットで空間多重するときの多重化確率を全通り定期的に算出する。
【００２１】
例えば、上記図２に示される状態では、空間多重化対象の候補として、以下に示す６通りの「端末の組合せ及び時分割スロット」の組がある。そして、これら６つの空間多重化対象の候補全てについての多重化確率が多重化確率の算出周期毎に毎回算出される。
Ｓｌｏｔ２については、ユーザＡとユーザＢの組、ユーザＡとユーザＣの組の２通り。
Ｓｌｏｔ３については、ユーザＢとユーザＡの組、ユーザＢとユーザＣの組の２通り。
Ｓｌｏｔ４については、ユーザＣとユーザＡの組、ユーザＣとユーザＢの組の２通り。
【００２２】
これら算出された多重化確率は制御部１５に通知される。なお、本実施形態では、多重化確率を示す値が多重化確率データとして制御部１５に通知される。多重化確率データの値の範囲は、例えば１〜２５４であり、この値が大きい程に多重化確率が良いとする。
なお、信号処理部１３は、ＤＳＰ（Digital Signal Processor）及びメモリ等から構成される。
【００２３】
回線インタフェース１４は、ＴＤＭＡ／ＴＤＤ処理機能を有しており、ＩＳＤＮ回線等のデジタル通信回線に接続され、複数の通信回線と信号処理部１３との間で複数のＴＣＨの信号（音声又はデータのベースバンド信号）を授受する。また、制御部１５との間でＣＣＨの信号（制御情報のベースバンド信号）を授受する。
【００２４】
制御部１５は、無線基地局１全体の制御及び通信制御を行う。制御部１５は、通信制御処理の一つとして、呼に割当てる時分割スロットを選択する処理を行う。具体的には、端末と無線通信するためのＴＣＨをいずれの時分割スロットで確立するのかを選択する。さらに、空間多重を行う必要が生じた場合には、新規に空間多重する端末の組合せ及び時分割スロットを選択する。この選択の際には上記信号処理部１３により算出された空間多重の多重化確率を使用する。この空間多重化対象選択方法の詳細は後述する。
【００２５】
また、制御部１５は、回線インタフェース１４に対して端末を収容する時分割スロットを切替させる処理、端末に対してハンドオーバーを指示する処理などを行う。なお、制御部１５は、ＣＰＵ及びメモリ等から構成される。
記憶部１６は、制御部１５からアクセスされ、各種データを記憶する。
【００２６】
次に、図４及び図５を参照して、上述した制御部１５による空間多重化対象の選択に係る動作を説明する。図４は、上記図１の無線通信システムにおける空間多重化処理の流れを示すシーケンスチャートである。図５は、制御部１５が行う処理のうち、空間多重化対象選択処理に係る流れを示すフローチャートである。
【００２７】
図４に示される無線基地局１の機能は、３つの階層「Ｌａｙｅｒ１〜３」に分割して実現されている。Ｌａｙｅｒ１の機能は、図３の無線部１２、信号処理部１３及び回線インタフェース１４によって実現される機能に対応する。Ｌａｙｅｒ２及び３の機能は、図３の制御部１５及び記憶部１６によって実現される機能に対応する。
【００２８】
先ず、図４においては、上記図２に示されるように、既に全てのＴＣＨ用の時分割スロット「Ｓｌｏｔ２，３，４」が使用中となっている（ステップＳ０）。また、Ｌａｙｅｒ１の機能（具体的には信号処理部１３）により空間多重の多重化確率が定期的に算出されて、Ｌａｙｅｒ２に通知されている（ステップＳ１）。多重化確率の算出周期は、例えば２００ミリ秒である。
【００２９】
次いで、上記図１のユーザＤの端末２−４から新規の呼接続要求が送信され、無線基地局１のＬａｙｅｒ１及び２を介してＬａｙｅｒ３によって受信される（ステップＳ２）。Ｌａｙｅｒ３は該新規呼接続要求の受信により、Ｌａｙｅｒ２へ多重化情報を要求する（ステップＳ３）。
【００３０】
ここで、図５を参照してＬａｙｅｒ２の処理を説明する。
図５において、Ｌａｙｅｒ２は、Ｌａｙｅｒ１又はＬａｙｅｒ３からイベントメッセージを受信すると（ステップＳ１０１）、その内容を判断して以降に実行する処理を選択する（ステップＳ１０２，Ｓ１０４）。
【００３１】
先ず、受信したイベントメッセージの内容がＬａｙｅｒ１からの多重化確率の通知である場合は、その受信した多重化確率データを記憶部１６に保存する（ステップＳ１０３）。この記憶部１６には、過去の多重化確率の履歴が記憶される。この記憶する履歴の範囲は、後述する平均値算出範囲又は変動特性算出範囲のいずれか長い方の所定期間に相当する範囲を含む。例えば、多重化確率の算出周期が２００ミリ秒であり、平均値算出範囲及び変動特性算出範囲が共に５秒間である場合は、空間多重化対象の候補毎に、最新の多重化確率データを常に少なくとも２５個保存しておくようにする。具体的な実施例としては、空間多重化対象の候補当たりの多重化確率データの保存数を２５個とし、多重化確率データを記憶部１６に書き込む際には、既に保存されている最古の多重化確率データに上書きする。
【００３２】
他方、受信したイベントメッセージの内容がＬａｙｅｒ３からの多重化情報の要求である場合は、ステップＳ１０６〜Ｓ１１０の処理を実行する。また、受信したイベントメッセージの内容が多重化確率通知又は多重化情報要求のいずれでもない場合は、ステップＳ１０５へ進み、受信したイベントメッセージの内容に応じた処理を実行する。
【００３３】
Ｌａｙｅｒ３から多重化情報要求を受信した場合には、先ず、ステップＳ１０６において、空間多重化対象の候補全てについての多重化確率の平均値をそれぞれ算出する。具体例として、多重化確率の算出周期が２００ミリ秒であり、平均値算出範囲が５秒間である場合について、一候補分の動作を説明する。この場合は、記憶部１６から最新の平均値算出範囲分（２５個）の多重化確率データを読み出して合計し、この合計値を合計したデータ数すなわち２５で除して平均値を求める。
【００３４】
次いで、ステップＳ１０７では、空間多重化対象の候補全てについての多重化確率の変動特性をそれぞれ求める。この実施例では、変動特性算出範囲である所定期間内において、過去の多重化確率が所定の変動幅を超えて変動した回数を求める。具体例として、多重化確率の算出周期が２００ミリ秒であり、変動特性算出範囲が５秒間である場合について、一候補分の動作を説明する。この場合は、先ず、記憶部１６から時系列順に多重化確率データを読み出して、時系列的に隣り合うデータ間の差の絶対値（以下、変動データと称する）を求める。これにより、過去の最新の２５個の多重化確率データについての各データ間の変動データが２４個算出される。次いで、変動データ一つ一つについて、所定の変動幅閾値を超えているか否かを判定する。次いで、変動幅閾値を超えている変動データの個数を計数する。この計数値が変動特性値である。
【００３５】
次いで、ステップＳ１０８では、空間多重化対象の候補全てについて、上記算出された多重化確率の平均値及び変動特性値に基づいて、当該空間多重化対象候補（当該端末の組合せ及び当該時分割スロット）による将来の空間多重の安定性を評価する。具体的には、先ず、多重化確率の平均値が所定の平均閾値を超えているか否かを判定する。この判定の結果、平均閾値未満である平均値に対応する「端末の組合せ及び時分割スロット」の組は、候補から外す。
【００３６】
次いで、残った候補について、変動特性値の良し悪しを判定する。本実施例では、変動特性値は所定の変動幅を超えて変動した回数であるので、値が小さい程良い特性であり、値が大きい程悪い特性である。これにより、変動特性値が所定の変動特性閾値を超えている場合には該当する「端末の組合せ及び時分割スロット」の組を候補から外す。
次いで、残った候補について、変動特性の良い順に順番を付ける。この順列が評価結果である。
【００３７】
次いで、ステップＳ１０９では、その評価結果の順列に従って、最も評価の高い、即ち多重化確率の平均値が所定値よりも高く、且つ変動特性が最も良い「端末の組合せ及び時分割スロット」の組を空間多重化対象に選択する。次いで、この空間多重化対象に選択した「端末の組合せ及び時分割スロット」を特定する情報を多重化情報としてＬａｙｅｒ３へ送信する（ステップＳ１１０）。
【００３８】
次いで、図４に戻り、該多重化情報に従って、当該空間多重化対象の時分割スロットで当該空間多重化対象の複数の端末を空間多重する動作が各Ｌａｙｅｒ１〜３によって実行される（ステップＳ５）。
【００３９】
上述したように本実施形態によれば、多重化確率の平均値に加えて変動特性も評価して空間多重化対象を選択するので、新規に空間多重する端末の組合せ及び時分割スロットを選択する際の精度が向上する。例えば、多重化確率の平均値が良くても多重化確率が安定しておらず、空間多重に不適当な端末の組合せ及び時分割スロットが空間多重化対象として選択されることを防止できる。これにより、空間多重化動作をより確実に成功させることができるので、より多くの呼をカバーすることができ、無線基地局当たりの呼量を増やすことが可能となる。この結果として無線通信システムの効率向上に寄与するという優れた効果が得られる。
【００４０】
なお、上述した実施形態では、図５のＬａｙｅｒ２の処理において、多重化情報要求受信時に変動特性の算出処理をまとめて行うようにしたが、多重化確率受信時と多重化情報要求受信時とに分けて変動特性を算出するようにしてもよい。例えば、多重化確率受信時には、受信した多重化確率と前回受信した多重化確率データとの差の絶対値（変動データ）を求める。そして、過去の最新の変動特性算出範囲分の変動データを記憶部１６に保存する。次いで、多重化情報要求受信時には、その記憶部１６に保存されている変動データを使用して変動幅閾値超過回数を求め、変動特性値とする。
これにより、Ｌａｙｅｒ２の処理が時間的に分散されるので、制御部１５の最大負荷の低減を図ることができる。さらに、Ｌａｙｅｒ３からの多重化情報要求に対する応答速度が向上し、多重化動作を開始するまでの時間を短縮することができる。
【００４１】
また、変動特性算出処理において、過去の多重化確率の変動データのうち、時系列的に新しい変動データをより高い評価とする重み付けを行うようにしてもよい。例えば、変動特性算出範囲が５秒間である場合に、後半の２．５秒間の変動データに対して前半の２．５秒間の変動データの倍の重み付けを行う。具体例として上記実施例の場合、前半の２．５秒間の変動データを使用して算出した変動幅閾値超過回数はそのまま（１倍）とし、後半の２．５秒間の変動データを使用して算出した変動幅閾値超過回数については２倍して変動特性値を求める。
これにより、将来の空間多重の安定性をより確度よく評価することができる。
【００４２】
なお、本発明は、時分割多重方式及び空間多重方式を採用している無線通信システムであれば、携帯電話等の各種の無線通信システムに同様に適用することができる。
【００４３】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００４４】
【図１】本発明の一実施形態による無線基地局（無線装置）と移動局（携帯端末）を有する無線通信システムの構成例を示すブロック図である。
【図２】時分割スロットの割当て例を示す図である。
【図３】図１に示す無線基地局１の構成を示すブロック図である。
【図４】図１の無線通信システムにおける空間多重化処理の流れを示すシーケンスチャートである。
【図５】図３に示す制御部１５が行う処理のうち、空間多重化対象選択処理に係る流れを示すフローチャートである。
【符号の説明】
【００４５】
１…無線基地局（無線装置）、２−１〜４…移動局（携帯端末）、１１…アダプティブアレーアンテナ、１２…無線部、１３…信号処理部、１４…回線インタフェース、１５…制御部、１６…記憶部。
【図１】
2005123871.tif 000003
【図２】
2005123871.tif 000004
【図３】
2005123871.tif 000005
【図４】
2005123871.tif 000006
【図５】
2005123871.tif 000007